(57)【要約】【課題】治療照射装置により各治療室の患者の治療部位に粒子線を照射する粒子線治療を施行する上で、効率よく治療室スケジュールを立案する。【解決手段】治療所要時間算出部４は、記憶部３内の治療室スケジュール３８｛患者ＩＤ、予定情報（入退室の予定）、実績情報（入退室の実績、照射時間）｝に基づいて、患者が治療室に入退室する間の照射時間以外の照射外所要時間を算出して、照射外所要時間の統計値を照射外所要時間統計値として算出する。治療室使用時間推定部６は、記憶部３内の治療計画３２（患者ＩＤ、治療の日程、照射条件）と照射外所要時間統計値とに基づいて患者の照射回ごとの治療室使用時間を推定して、その治療室使用時間を患者ＩＤに対応付けて治療計画３２に付加する。治療室スケジュール立案部５は、その治療計画３２に基づいて、新規の治療室スケジュールを立案する。【選択図】図１
2013248317.tif 000002
【特許請求の範囲】
【請求項１】
共用装置である治療照射装置により各治療室の患者の治療部位に粒子線を照射する粒子線治療を施行するための治療室スケジュールを立案する粒子線治療スケジューリングシステムにおいて、
患者ごとに割り当てられた患者ＩＤと治療の日程と前記粒子線治療を施行するときの照射条件とを対応付ける治療計画と、患者ごとの患者ＩＤと治療室への入室予定時刻および退室予定時刻を表す予定情報と、患者の治療室への入室時刻および退室時刻の実績と患者の治療部位に対して前記粒子線治療を施行した照射時間とを含む実績情報と、を対応付ける前記治療室スケジュールを表す情報を記憶する記憶部と、
前記治療室スケジュールの前記実績情報に基づいて、患者が治療室に入室してから退室するまでの時間のうちの前記照射時間以外の所要時間である照射外所要時間を算出して、この照射外所要時間の統計値を照射外所要時間統計値として算出する治療所要時間算出部と、
前記治療計画と前記照射外所要時間統計値とに基づいて、患者の照射回ごとの治療室使用時間を推定して、患者の照射回ごとの前記治療室使用時間を前記患者ＩＤに対応付けて前記治療計画に付加する治療室使用時間推定部と、
前記治療室使用時間が付加された前記治療計画に基づいて、新規の治療室スケジュールを立案する治療室スケジュール立案部と、
を具備することを特徴とする粒子線治療スケジューリングシステム。
【請求項２】
前記治療所要時間算出部は、前記治療室スケジュールの前記実績情報に基づいて、治療部位ごとの前記照射外所要時間を算出して、前記照射外所要時間の統計値を前記照射外所要時間統計値として算出する、
ことを特徴とする請求項１に記載の粒子線治療スケジューリングシステム。
【請求項３】
前記治療所要時間算出部は、前記治療室スケジュールの前記実績情報に基づいて、技師ごとの前記照射外所要時間を算出して、前記照射外所要時間の統計値を前記照射外所要時間統計値として算出する、
ことを特徴とする請求項１に記載の粒子線治療スケジューリングシステム。
【請求項４】
前記治療照射装置は、前記粒子線治療が施行されたときに前記患者ＩＤと前記実績情報とを含む治療作業状態情報を送信し、
前記粒子線治療スケジューリングシステムは、
前記治療照射装置から前記治療作業状態情報を受信し、前記治療作業状態情報に含まれる前記実績情報を前記患者ＩＤに対応付けて前記治療室スケジュールに付加する治療作業状態入力部と、
治療所要時間算出部、治療室使用時間推定部、および、治療室スケジュール立案部に対して前記新規の治療室スケジュールの立案を要求する案内表示部と、
をさらに具備することを特徴とする請求項１に記載の粒子線治療スケジューリングシステム。
【請求項５】
前記記憶部内の前記治療室スケジュールを前記新規の治療室スケジュールに更新するデータ管理部、
をさらに具備することを特徴とする請求項１ないし請求項４のいずれかに記載の粒子線治療スケジューリングシステム。
【請求項６】
共用装置である治療照射装置により各治療室の患者の治療部位に粒子線を照射する粒子線治療を施行するための治療室スケジュールを立案する粒子線治療スケジューリング方法において、
記憶部が、患者ごとに割り当てられた患者ＩＤと治療の日程と前記粒子線治療を施行するときの照射条件とを対応付ける治療計画と、患者ごとの患者ＩＤと治療室への入室予定時刻および退室予定時刻を表す予定情報と、患者の治療室への入室時刻および退室時刻の実績と患者の治療部位に対して前記粒子線治療を施行した照射時間とを含む実績情報と、を対応付ける前記治療室スケジュールを表す情報を記憶するステップと、
実行部が、前記治療室スケジュールの前記実績情報に基づいて、患者が治療室に入室してから退室するまでの時間のうちの前記照射時間以外の所要時間である照射外所要時間を算出して、この照射外所要時間の統計値を照射外所要時間統計値として算出するステップと、
前記実行部が、前記治療計画と前記照射外所要時間統計値とに基づいて患者の照射回ごとの治療室使用時間を推定して、患者の照射回ごとの前記治療室使用時間を前記患者ＩＤに対応付けて前記治療計画に付加するステップと、
前記実行部が、前記治療室使用時間が付加された前記治療計画に基づいて、新規の治療室スケジュールを立案するステップと、
を具備することを特徴とする粒子線治療スケジューリング方法。
【発明の詳細な説明】
【技術分野】
【０００１】
本発明の実施形態は、粒子線治療スケジューリングシステムおよび粒子線治療スケジューリング方法に関する。
【背景技術】
【０００２】
粒子線治療では、陽子や重粒子イオンを加速するシンクロトロンなどの治療照射装置（加速器）が用いられる。そして、複数の治療室が例えば１つの治療照射装置を共用することで施設合理化を図っているものがある。
【０００３】
粒子線治療にあっては、共用装置である治療照射装置の運転中に可能な限り多くの治療室で治療照射を行えるように、また、各治療室に可能な限り多くの患者を割り当てられるように、効率の良い治療室スケジュールを立案することが重要となる。
【０００４】
この治療室スケジュールは、治療内容の違いによって照射時間（治療室の占有時間）が異なる多様な患者を対象とし、例えば、ある１日の第一治療室を使用する患者は、患者Ａ、患者Ｂ、及び患者Ｃとし、照射の順序は、患者Ｂ→患者Ａ→患者Ｃとする。又、その日の第二治療室を使用する患者は、患者Ｄ、患者Ｅ、及び患者Ｆとし、照射の順序は、患者Ｆ→患者Ｅ→患者Ｄとするといった治療室の使用計画として作出される。
【０００５】
従来、治療照射装置（加速器）の稼動状況、治療室の稼動状況、患者が諸事情により来院できない日、患者の治療計画などを半ば自動的に総合勘案して、治療室スケジュールを立案する粒子線治療スケジューリングシステムが提案されている（特許文献１参照）。
【先行技術文献】
【特許文献】
【０００６】
【特許文献１】特開２０１１−１９４０６６号公報
【発明の概要】
【発明が解決しようとする課題】
【０００７】
従来の粒子線治療スケジューリングシステムによって立案された治療室スケジュールは治療部位や技師による照射外所要時間の差異が考慮されていないことから実際の治療進度から大きくずれる傾向があり、治療室スケジュールの信頼性は十分とは言えない状況である。
【０００８】
治療室スケジュールと実際の治療進度とのずれは、複数の治療室で共用される治療照射装置（加速器）の特性切り替えがスケジュールどおりに行えずに他の治療室が使用できなくなるなど、患者やスタッフに不都合が生じるおそれがある。
【０００９】
本実施形態が解決しようとする課題は、共用装置である治療照射装置により各治療室の患者の治療部位に粒子線を照射する粒子線治療を施行する上で、効率よく治療室スケジュールを立案することにある。
【課題を解決するための手段】
【００１０】
実施形態の粒子線治療スケジューリングシステムは、共用装置である治療照射装置により各治療室の患者の治療部位に粒子線を照射する粒子線治療を施行するための治療室スケジュールを立案する粒子線治療スケジューリングシステムにおいて、患者ごとに割り当てられた患者ＩＤと治療の日程と前記粒子線治療を施行するときの照射条件とを対応付ける治療計画と、患者ごとの患者ＩＤと治療室への入室予定時刻および退室予定時刻を表す予定情報と、患者の治療室への入室時刻および退室時刻の実績と患者の治療部位に対して前記粒子線治療を施行した照射時間とを含む実績情報と、を対応付ける前記治療室スケジュールを表す情報を記憶する記憶部と、前記治療室スケジュールの前記実績情報に基づいて、患者が治療室に入室してから退室するまでの時間のうちの前記照射時間以外の所要時間である照射外所要時間を算出して、この照射外所要時間の統計値を照射外所要時間統計値として算出する治療所要時間算出部と、前記治療計画と前記照射外所要時間統計値とに基づいて、患者の照射回ごとの治療室使用時間を推定して、患者の照射回ごとの前記治療室使用時間を前記患者ＩＤに対応付けて前記治療計画に付加する治療室使用時間推定部と、前記治療室使用時間が付加された前記治療計画に基づいて、新規の治療室スケジュールを立案する治療室スケジュール立案部と、を具備することを特徴とする。
【００１１】
実施形態の粒子線治療スケジューリング方法は、共用装置である治療照射装置により各治療室の患者の治療部位に粒子線を照射する粒子線治療を施行するための治療室スケジュールを立案する粒子線治療スケジューリング方法において、記憶部が、患者ごとに割り当てられた患者ＩＤと治療の日程と前記粒子線治療を施行するときの照射条件とを対応付ける治療計画と、患者ごとの患者ＩＤと治療室への入室予定時刻および退室予定時刻を表す予定情報と、患者の治療室への入室時刻および退室時刻の実績と患者の治療部位に対して前記粒子線治療を施行した照射時間とを含む実績情報と、を対応付ける前記治療室スケジュールを表す情報を記憶するステップと、実行部が、前記治療室スケジュールの前記実績情報に基づいて、前記特定患者が治療室に入室してから退室するまでの時間のうちの前記照射時間以外の所要時間である照射外所要時間を算出して、この照射外所要時間の統計値を照射外所要時間統計値として算出するステップと、前記実行部が、前記治療計画と前記照射外所要時間統計値とに基づいて患者の照射回ごとの治療室使用時間を推定して、患者の照射回ごとの前記治療室使用時間を前記患者ＩＤに対応付けて前記治療計画に付加するステップと、前記実行部が、前記治療室使用時間が付加された前記治療計画に基づいて、新規の治療室スケジュールを立案するステップと、を具備することを特徴とする。
【発明の効果】
【００１２】
本発明の実施形態によれば、共用装置である治療照射装置により各治療室の患者の治療部位に粒子線を照射する粒子線治療を施行する上で、効率よく治療室スケジュールを立案することができる。
【図面の簡単な説明】
【００１３】
【図１】第１実施形態に係る粒子線治療スケジューリングシステムの構成を示す機能ブロック図である。
【図２】図１の記憶部に記憶される治療計画の一例を示す図である。
【図３】図１の記憶部に記憶される立案条件の一例を示す図である。
【図４】図１の記憶部に記憶される治療所要時間情報の一例を示す図である。
【図５】図１の記憶部に記憶される治療室スケジュールの一例を示す図である。
【図６】第１実施形態に係る粒子線治療スケジューリングシステムの動作（粒子線治療スケジューリング方法）を示すフローチャートである。
【図７】第２実施形態に係る粒子線治療スケジューリングシステムの構成を示す機能ブロック図である。
【図８】図７の記憶部に記憶される治療所要時間情報の一例を示す図である。
【図９】第２実施形態に係る粒子線治療スケジューリングシステムの動作（粒子線治療スケジューリング方法）を示すフローチャートである。
【図１０】第３実施形態に係る粒子線治療スケジューリングシステムの構成を示す機能ブロック図である。
【図１１】第３実施形態に係る粒子線治療スケジューリングシステムの動作（粒子線治療スケジューリング方法）を示すフローチャートである。
【発明を実施するための形態】
【００１４】
本発明の粒子線治療スケジューリングシステムは、加速器などの治療照射装置が複数の治療室により共用されるとき、１日の中で各々の治療室に割り当てる患者やその順序を治療室スケジュールとして決定し提示するシステムである。
【００１５】
以下、本発明に係る粒子線治療スケジューリングシステムの実施形態について、図面を参照して説明する。
【００１６】
（第１実施形態）
図１は、第１実施形態に係る粒子線治療スケジューリングシステムの構成を示す機能ブロック図である。
【００１７】
第１実施形態に係る粒子線治療スケジューリングシステム１は、１つ乃至複数の汎用的なコンピュータで構成することができ、入力部２と、コンピュータプログラムが格納された記憶部３と、そのコンピュータプログラムを記憶部３から読み出して実行する実行部であるＣＰＵ７と、ＣＰＵ７の実行結果を表示する表示部９とを具備している。
【００１８】
ＣＰＵ７は、その機能として、治療所要時間算出部４と、治療室スケジュール立案部５と、治療室使用時間推定部６と、データ管理部８とを具備している。
【００１９】
入力部２は、キーボードやマウスなどの操作デバイスを有し、ユーザの要求に従って各種の情報を記憶部３に保存する際に用いられる。
【００２０】
記憶部３は、患者情報３１と、治療計画３２と、加速器稼動情報３３と、治療室稼動情報３４と、立案条件３５と、技師情報３６と、治療所要時間情報３７と、治療室スケジュール３８とを更新可能に記憶する。
【００２１】
ここで、患者情報３１、治療計画３２、加速器稼動情報３３、治療室稼動情報３４、立案条件３５、および、技師情報３６は、立案者によって事前作成され、入力部２により記憶部３に格納される。治療室スケジュール３８は、患者情報３１、治療計画３２、加速器稼動情報３３、治療室稼動情報３４、立案条件３５、技師情報３６、および、治療所要時間情報３７を用いて治療室スケジュール立案部５により立案され、記憶部３に格納される。
【００２２】
患者情報３１は、患者の氏名や住所などを表す患者特定情報と、各患者の治療可能日（患者の都合）とを含んでいる。
【００２３】
図２は、治療計画３２の一例を示す図である。
【００２４】
治療計画３２は、患者ごとに割り当てられた識別子である患者ＩＤと、治療の日程と、治療照射装置（図示しない）により各治療室の患者の治療部位に粒子線を照射する粒子線治療を施行するときの照射条件とを対応付ける。
【００２５】
具体的には、治療計画３２は、患者ごとの患者ＩＤと、患者ＩＤにより患者ごとの治療計画３２を個別に管理するための個別治療計画情報を含んでいる。
【００２６】
個別治療計画情報は、患者の特定の治療部位を識別する識別子である治療計画ＩＤと、治療部位の名称と、治療計画ＩＤごとの治療の日程（治療開始予定日、治療終了予定日）と、治療計画ＩＤごとの照射条件（照射回数、１回の照射線量、連続照射）と、照射条件における照射回ごとの照射条件を管理するための照射回情報とを対応付ける情報である。
【００２７】
照射回情報は、照射回ごとに照射を識別する識別子である照射回情報ＩＤと、患者ＩＤと、治療計画ＩＤと、照射回番号と、照射予定日と、粒子線の種類と、粒子線のエネルギーと、ポート状態と、所要照射時間と、１回の照射線量と、アイソセンター位置と、治療台位置と、治療室と、連続照射と、治療室使用時間とを対応付ける情報である。
【００２８】
ここで、治療室使用時間は、治療室使用時間推定部６により推定され、照射回情報ＩＤ、患者ＩＤおよび治療計画ＩＤに対応付けて記憶部３内の治療計画３２の照射回情報に付加されて、記憶部３に格納される。
【００２９】
図１に示す加速器稼動情報３３は、治療照射装置（加速器）の稼動状態と、治療照射装置の稼動日や非稼動日以外の利用可能時間とを含んでいる。その稼動状態とは、治療照射装置の稼動日や非稼動日（メンテナンス日など）、日毎又は時間帯ごとの粒子線ビームの種類やエネルギーなどの加速器特性、この加速器特性の切り替えタイミングが挙げられる。
【００３０】
図１に示す治療室稼動情報３４は、治療室の稼動状態と、治療室の稼動日や非稼動日以外の利用可能時間とを含んでいる。その稼動状態とは、治療室の稼動日や非稼動日（メンテナンス日など）、利用開始時刻、利用終了時刻などが挙げられる。
【００３１】
図３は、立案条件３５の一例を示す図である。
【００３２】
立案条件３５は、患者または治療室の予定等の都合を考慮した“条件１”と、１週間の治療回数上限を考慮した“条件２”と、連続照射の指定を考慮した“条件３”と、照射の切り替えを考慮した“条件４”と、準備や後片付けなどの設定時間を考慮した“条件５”と、総照射時間を考慮した“条件６”とを含んでいる。
【００３３】
技師情報３６は、技師の氏名、技師を特定するための技師ＩＤと、経験年数などとを含んでいる。
【００３４】
図４は、治療所要時間情報３７の一例を示す図である。
【００３５】
治療所要時間情報３７は、治療部位ごとに管理するための識別子である治療部位ＩＤと、治療部位の名称と、サンプリング個数“ｎ”と、照射外所要時間統計値と、照射外所要時間平均値とを含んでいる。
【００３６】
ここで、サンプリング個数は後述するように治療部位ごとに定義することができ、照射外所要時間統計値、照射外所要時間平均値を算出するために用いられる。照射外所要時間統計値および照射外所要時間平均値は、サンプリング個数と、後述の照射外所要時間とを用いて治療所要時間算出部４により算出され、記憶部３に格納される。この場合、治療部位ＩＤに対応付けて記憶部３内の治療所要時間情報３７に付加される。
【００３７】
図５は、治療室スケジュール３８の一例を示す図である。
【００３８】
治療室スケジュール３８は、治療室と、治療日と、患者ＩＤと、照射回情報ＩＤと、技師ＩＤと、患者の予定情報（入室予定時刻、退室予定時刻）と、実績情報（入室時刻、退室時刻、位置決め完了時刻、照射完了時刻、照射時間、照射外所要時間）と、位置決め有無とを対応付ける。
【００３９】
ここで、治療室、治療日、患者ＩＤ、および、予定情報は、患者情報３１の治療可能日、治療計画３２の照射回情報、加速器稼動情報３３の利用可能時間、治療室稼動情報３４の利用可能時間、立案条件３５、技師情報３６および治療所要時間情報３７を用いて治療室スケジュール立案部５により決定される。
【００４０】
上述した予定情報が示す入室予定時刻、退室予定時刻を目標に治療は行われる。そして、実際の治療時刻の結果を示す実績情報の入室時刻、退室時刻、位置決め完了時刻、照射完了時刻および照射時間は、患者に対して粒子線治療が終了したときに入力部２により入力され、患者ＩＤ、照射回情報ＩＤおよび技師ＩＤに対応付けて記憶部３内の治療室スケジュール３８に付加されて、記憶部３に格納される。
【００４１】
また、実績情報の照射外所要時間は、実績情報の入室時刻、退室時刻および照射時間を用いて治療所要時間算出部４により算出され、患者ＩＤ、照射回情報ＩＤおよび技師ＩＤに対応付けて記憶部３内の治療室スケジュール３８に付加されて、記憶部３に格納される。
【００４２】
また、実績情報の位置決め有無は、治療計画３２の照射回情報を用いて治療室使用時間推定部６により推定され、記憶部３に格納される。この場合、患者ＩＤ、照射回情報ＩＤおよび技師ＩＤに対応付けて記憶部３内の治療室スケジュール３８に付加される。
【００４３】
図６は、第１実施形態に係る粒子線治療スケジューリングシステムの動作（粒子線治療スケジューリング方法）を示すフローチャートである。
【００４４】
まず、治療室に入室している患者の治療部位に対して粒子線治療を施行したときに、入力部２は、その患者に対する実績情報（入室時刻、退室時刻、位置決め完了時刻、照射完了時刻、照射時間）を入力して、その患者に割り当てられた患者ＩＤに対応付けて治療室スケジュール３８に付加する（ステップＳ１；実績情報記録処理）。
【００４５】
このとき、治療所要時間算出部４は、記憶部３内の治療室スケジュール３８の実績情報の入室時刻、退室時刻および照射時間に基づいて、患者が治療室に入室してから退室するまでの時間のうちの照射時間以外の所要時間である照射外所要時間を算出して、患者ＩＤ、照射回情報ＩＤおよび技師ＩＤに対応付けて記憶部３内の治療室スケジュール３８に付加する（ステップＳ２；照射外所要時間算出処理）。
【００４６】
ここで、照射外所要時間は、
照射外所要時間＝［退室時刻］−［入室時刻］−［照射時間］
により算出される。
【００４７】
治療所要時間算出部４は、記憶部３内の治療室スケジュール３８の実績情報の照射外所要時間の中から、治療所要時間情報３７に治療部位ごとに定義されたサンプリング個数“ｎ”分の照射外所要時間だけ過去に遡って抽出する。治療所要時間算出部４は、ｎ個分の照射外所要時間の標準偏差を照射外所要時間平均値として算出して、治療部位ＩＤに対応付けて記憶部３内の治療所要時間情報３７に付加する（ステップＳ３；照射外所要時間平均値算出処理）。
【００４８】
ここで、照射外所要時間平均値は、
照射外所要時間平均値＝（Σ（第Ｘ照射外所要時間））／ｎ
により算出される。Ｘは１≦Ｘ≦ｎを満たす整数であり（ただし、ｎ≠１）、Σは第１照射外所要時間から第ｎ照射外所要時間までの合計値を表している。
【００４９】
治療所要時間算出部４は、治療部位ごとに照射外所要時間平均値とｎ個分の照射外所要時間の平均値とを足したものを照射外所要時間統計値として算出して、治療部位ＩＤに対応付けて記憶部３内の治療所要時間情報３７に付加する（ステップＳ４；照射外所要時間統計値算出処理）。
【００５０】
ここで、照射外所要時間統計値は、
照射外所要時間統計値＝√（Σ（（［第Ｘ照射外所要時間］−［照射外所要時間平均値］）２）／ｎ）＋［照射外所要時間平均値］
により算出される。
【００５１】
尚、記憶部３内の治療室スケジュール３８に直近の過去の照射外所要時間のデータ個数がサンプリング個数分ない場合は、計算しないものとする。
【００５２】
次に、治療室使用時間推定部６は、記憶部３内の治療計画３２の照射回情報と治療部位ごとの照射外所要時間統計値とに基づいて、患者の照射回ごとの治療室使用時間を推定する。治療室使用時間推定部６は、その治療室使用時間を照射回情報ＩＤ、患者ＩＤおよび治療計画ＩＤに対応付けて記憶部３内の治療計画３２の照射回情報に付加する（ステップＳ５；治療室使用時間推定処理）。
【００５３】
ここで、治療室使用時間は、例えば次式に従って推定される。
【００５４】
＜該当部位の照射外所要時間統計値がない場合＞
治療室使用時間は、
治療室使用時間＝［標準照射外所要時間］×［位置決め有無］＋［照射回の照射時間］＋［余裕時間］
により算出される。
【００５５】
＜該当部位の照射外所要時間統計値がある場合＞
治療室使用時間は、
治療室使用時間＝［照射外所要時間統計値］×［位置決め有無］＋［照射回の照射時間］＋［余裕時間］
により算出される。
【００５６】
尚、標準照射外所要時間は、例えば臨床的に取得された部位に依存しない値が用いられる。余裕時間は、位置決め等の作業に手間取る時間等余裕を持たせた値が用いられる。
【００５７】
また、位置決め有無は次の条件に全て一致する場合は０（位置決めなし）、一致しない場合は１（位置決めあり）とする。
【００５８】
＜位置決め有無判定条件＞
位置決め有無判定条件としては、
（Ｉ）連続照射である、
（ＩＩ）アイソセンター位置が直前の患者と同じである、
（ＩＩＩ）治療台の位置が直前の患者と同じである、
が挙げられる。
【００５９】
次に、治療室スケジュール立案部５は、記憶部３に記憶されている治療室使用時間が付加された治療計画３２の照射回情報と、加速器稼動情報３３の稼動状態及び利用可能時間と、治療室稼動情報３４の稼動状態及び利用可能時間と、立案条件３５と、技師情報３６と、治療所要時間情報３７とに基づいて、使用状況や空室状況、治療可能時間帯を推定し、患者の照射回ごとに、例えば、患者の待ち時間や治療室の空き時間を最小にするなどの最適化による方法で治療室の利用効率が高くなる新規の治療室スケジュールを立案（決定）する（ステップＳ６；治療室スケジュール立案処理）。
【００６０】
次に、データ管理部８は、記憶部３内の治療室スケジュール３８を、治療室スケジュール立案部５によって立案された新規の治療室スケジュールに更新する（ステップＳ７；治療室スケジュール更新処理）。この治療室スケジュール３８は、例えば、日程表の形式で表示可能なデータに加工されて記憶される。
【００６１】
表示部９は、オペレータの要求に従って、記憶部３内の治療室スケジュール３８をモニタ表示する（ステップＳ８；治療室スケジュール表示処理）。この治療室スケジュール３８は、日及び時間帯ごとに治療室を使用する患者の一覧や順序などである。
【００６２】
以上の説明により、第１実施形態に係る粒子線治療スケジューリングシステム１によれば、治療室スケジュール３８に実績情報を付加させ、その治療実績に基づいて治療部位ごとに照射外所要時間統計値を算出し、治療計画３２と治療部位ごとの照射外所要時間統計値とに基づいて患者の照射回ごとの治療室使用時間を推定し、治療室使用時間が付加された治療計画３２に基づいて新規の治療室スケジュールを決定して、これを治療室スケジュール３８として更新することにより、共用装置である治療照射装置により各治療室の患者の治療部位に粒子線を照射する粒子線治療を施行する上で、より効率よく治療室スケジュール３８を立案することができる。
【００６３】
（第２実施形態）
次に、第２実施形態に係る粒子線治療スケジューリングシステムについて説明する。第２実施形態では、第１実施形態と同様の構成については同一符号を付し、第１実施形態の構成を変更し或いは新たに追加した構成については符号に「Ａ」を付し、第１実施形態からの変更点のみ説明する。
【００６４】
図７は、第２実施形態に係る粒子線治療スケジューリングシステムの構成を示す機能ブロック図である。
【００６５】
第２実施形態に係る粒子線治療スケジューリングシステム１Ａは、第１実施形態における記憶部３およびＣＰＵ７に代えて、それぞれ、記憶部３ＡおよびＣＰＵ７Ａを具備している。
【００６６】
ＣＰＵ７Ａは、その機能として、第１実施形態におけるＣＰＵ７の治療所要時間算出部４および治療室使用時間推定部６に代えて、それぞれ、治療所要時間算出部４Ａおよび治療室使用時間推定部６Ａを具備している。
【００６７】
記憶部３Ａは、第１実施形態における治療所要時間情報３７に代えて、治療所要時間情報３７Ａを更新可能に記憶する。
【００６８】
図８は、治療所要時間情報３７Ａの一例を示す図である。
【００６９】
治療所要時間情報３７Ａは、技師の氏名、技師を特定するための技師ＩＤと、サンプリング個数“ｎ”と、照射外所要時間統計値と、照射外所要時間平均値とを含んでいる。
【００７０】
図９は、第２実施形態に係る粒子線治療スケジューリングシステムの動作（粒子線治療スケジューリング方法）を示すフローチャートである。
【００７１】
まず、前述のステップＳ１およびＳ２が実行される。
【００７２】
次に、治療所要時間算出部４Ａは、記憶部３Ａ内の治療室スケジュール３８の実績情報の照射外所要時間の中から、治療所要時間情報３７Ａに技師ごとに定義されたサンプリング個数“ｎ”分の照射外所要時間だけ過去に遡って抽出する。治療所要時間算出部４Ａは、ｎ個分の照射外所要時間の標準偏差を照射外所要時間平均値として算出して、技師ＩＤに対応付けて記憶部３Ａ内の治療所要時間情報３７Ａに付加する（ステップＳ３Ａ；照射外所要時間平均値算出処理）。
【００７３】
治療所要時間算出部４Ａは、技師ごとに照射外所要時間平均値とｎ個分の照射外所要時間の平均値とを足したものを照射外所要時間統計値として算出して、技師ＩＤに対応付けて記憶部３Ａ内の治療所要時間情報３７Ａに付加する（ステップＳ４Ａ；照射外所要時間統計値算出処理）。
【００７４】
次に、治療室使用時間推定部６Ａは、記憶部３Ａ内の治療計画３２の照射回情報と技師ごとの照射外所要時間統計値とに基づいて、患者の照射回ごとの治療室使用時間を推定する。治療室使用時間推定部６Ａは、その治療室使用時間を照射回情報ＩＤ、患者ＩＤおよび治療計画ＩＤに対応付けて記憶部３Ａ内の治療計画３２の照射回情報に付加する（ステップＳ５Ａ；治療室使用時間推定処理）。
【００７５】
ここで、治療室使用時間は、例えば次式に従って推定される。
【００７６】
＜該当技師の照射外所要時間統計値がない場合＞
治療室使用時間＝［標準照射外所要時間］×［位置決め有無］＋［照射回の照射時間］＋［余裕時間］
＜該当技師の照射外所要時間統計値がある場合＞
治療室使用時間＝［照射外所要時間統計値］×［位置決め有無］＋［照射回の照射時間］＋［余裕時間］
により算出される。
【００７７】
その後にステップＳ６〜Ｓ８が実行される。
【００７８】
以上の説明により、第２実施形態に係る粒子線治療スケジューリングシステム１Ａによれば、治療室スケジュール３８に実績情報を付加させ、その治療実績に基づいて技師ごとに照射外所要時間統計値を算出し、治療計画３２と技師ごとの照射外所要時間統計値とに基づいて患者の照射回ごとの治療室使用時間を推定し、治療室使用時間が付加された治療計画３２に基づいて新規の治療室スケジュールを決定して、これを治療室スケジュール３８として更新することにより、共用装置である治療照射装置により各治療室の患者の治療部位に粒子線を照射する粒子線治療を施行する上で、技師の熟練度により隔たりのある作業時間を考慮した、より効率よく治療室スケジュール３８を立案することができる。
【００７９】
（第３実施形態）
次に、第３実施形態に係る粒子線治療スケジューリングシステムについて説明する。第３実施形態では、第１実施形態と同様の構成については同一符号を付して説明を省略し、第１実施形態の構成を変更し或いは新たに追加した構成については符号に「Ｂ」を付し、第１実施形態からの変更点のみ説明する。
【００８０】
図１０は、第３実施形態に係る粒子線治療スケジューリングシステムの構成を示す機能ブロック図である。
【００８１】
第３実施形態に係る粒子線治療スケジューリングシステム１Ｂには、第１実施形態における治療照射装置に代えて、治療照射装置１０１が通信可能に設けられている。治療照射装置１０１は記憶装置（図示しない）とＣＰＵ（図示しない）とを備えている。
【００８２】
第３実施形態に係る粒子線治療スケジューリングシステム１Ｂは、さらに、治療作業状態入力部１０を具備している。また、第３実施形態に係る粒子線治療スケジューリングシステム１Ｂは、第１実施形態におけるＣＰＵ７に代えて、ＣＰＵ７Ｂを具備している。
【００８３】
ＣＰＵ７Ｂは、その機能として、第１実施形態におけるＣＰＵ７の機能に加えて、さらに、案内表示部１１を具備している。
【００８４】
図１１は、第３実施形態に係る粒子線治療スケジューリングシステムの動作（粒子線治療スケジューリング方法）を示すフローチャートである。
【００８５】
治療室に入室している患者の治療部位に対して粒子線治療を施行するときに、治療照射装置１０１のＣＰＵは、その患者を識別する患者ＩＤと、その患者の担当の技師を識別する技師ＩＤと、治療部位などを識別する照射回情報ＩＤと、その患者に対する実績情報（入室時刻、退室時刻、位置決め完了時刻、照射完了時刻、照射時間）とを含む治療作業状態情報を治療照射装置１０１内の記憶装置に格納し、治療作業状態情報が更新される都度、粒子線治療スケジューリングシステム１Ｂへ送信する。
【００８６】
治療作業状態入力部１０は、前記治療照射装置１０１から送信された治療作業状態情報に含まれる実績情報（入室時刻、退室時刻、位置決め完了時刻、照射完了時刻、照射時間）を患者ＩＤと照射回情報ＩＤと技師ＩＤとに対応付けて記憶部３内の治療室スケジュール３８に付加する（ステップＳ１Ｂ；実績情報記録処理）。
【００８７】
このとき、ステップＳ２が実行される。
【００８８】
案内表示部１１は、治療所要時間算出部４、治療室使用時間推定部６、治療室スケジュール立案部５に対して新規の治療室スケジュールの立案を要求する（ステップＳ９；立案要求処理）。
【００８９】
その後にステップＳ３〜Ｓ８が実行される。
【００９０】
ステップＳ８において、表示部９は、案内表示部１１による立案要求を基にその後の治療予定の患者へスケジュールの通知を行う。例えば、待合室いる患者へは待合室に設けてある表示装置や、待合室にいない患者に対しては患者に携帯させている情報端末に、治療に入室するまでの時間および治療室を表示する。
【００９１】
以上の説明により、第３実施形態に係る粒子線治療スケジューリングシステム１Ｂによれば、治療照射装置１０１と連携することで、待機している患者の治療予定時間の精度が向上するため、患者およびスタッフの心理的負担を軽減することができる。
【００９２】
（他の実施形態）
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更、また各実施形態の特徴を組み合わせることができる。これら実施形態やその変形は、発明の範囲や要旨に含まれるとともに、特許請求の範囲に記載された発明とその均等の範囲に含まれる。
【符号の説明】
【００９３】
１  …  粒子線治療スケジューリングシステム
１Ａ  …  粒子線治療スケジューリングシステム
１Ｂ  …  粒子線治療スケジューリングシステム
２  …  入力部
３  …  記憶部
３Ａ  …  記憶部
４  …  治療所要時間算出部
４Ａ  …  治療所要時間算出部
５  …  治療室スケジュール立案部
６  …  治療室使用時間推定部
６Ａ  …  治療室使用時間推定部
７  …  ＣＰＵ（実行部）
７Ａ  …  ＣＰＵ（実行部）
７Ｂ  …  ＣＰＵ（実行部）
８  …  データ管理部
９  …  表示部
１０  …  治療作業状態入力部
１１  …  案内表示部
３１  …  患者情報
３２  …  治療計画
３３  …  加速器稼動情報
３４  …  治療室稼動情報
３５  …  立案条件
３６  …  技師情報
３７  …  治療所要時間情報
３７Ａ  …  治療所要時間情報
３８  …  治療室スケジュール
１０１  …  治療照射装置
【図１】
2013248317.tif 000003
【図２】
2013248317.tif 000004
【図３】
2013248317.tif 000005
【図４】
2013248317.tif 000006
【図５】
2013248317.tif 000007
【図６】
2013248317.tif 000008
【図７】
2013248317.tif 000009
【図８】
2013248317.tif 000010
【図９】
2013248317.tif 000011
【図１０】
2013248317.tif 000012
【図１１】
2013248317.tif 000013